(57)【要約】【課題】相手端子との接続信頼性を向上させる。【解決手段】芯線６１と圧着部２５、２６との接続部分に液状の防食材が導入され、この防食材が固化することによって接続部分の防食が行われる。端子金具１０の首部１３における芯線６１の前端と接続部１１の後端との間には、複数の壁２１、２２が形成されている。複数の壁２１、２２がそれぞれ前後で重なりつつ千鳥状に並んで配置されることにより、各壁２１、２２間に、液状の防食材が接続部１１側へ蛇行して流れ得る迂回路２３が形成されている。【選択図】図１
2011103220.tif 000002
【特許請求の範囲】
【請求項１】
相手端子に接続可能な筒状の接続部と、
前記接続部の後方に位置し、電線の端末にて露出された芯線にかしめ接続される圧着部と、
前記接続部と前記圧着部との間に位置して両者を連結する首部とを備え、
前記芯線と前記圧着部との接続部分に液状の防食材が導入され、この防食材が固化することによって前記接続部分の防食を行う端子金具であって、
前記首部における前記芯線の前端と前記接続部の後端との間には、複数の壁が形成され、前記複数の壁がそれぞれ前後で重なりつつ千鳥状に配置され、前記複数の壁間に、前記液状の防食材が前記接続部側へ蛇行して流れ得る迂回路が形成されていることを特徴とする端子金具。
【請求項２】
前記首部が底板とその両側縁から立ち上げられた一対の側板とを有し、前記複数の壁が前記底板の一部を切り起こして形成されている請求項１記載の端子金具。
【請求項３】
前記底板には前記壁の切り起こしに伴う孔が形成され、最後方に位置する前記壁の前方にこの壁に対応する前記孔が形成されている請求項２記載の端子金具。
【請求項４】
最後方に位置する前記壁が、前記芯線の直前位置に配置されている請求項１ないし３のいずれか１項記載の端子金具。
【発明の詳細な説明】
【技術分野】
【０００１】
本発明は、端子金具に関する。
【背景技術】
【０００２】
特許文献１には、従来の端子金具が開示されている。これは、前方から相手端子のタブが挿入されて接続される筒状の接続部と、接続部の後方に位置し、電線の端末にて露出された芯線にかしめ接続される圧着部と、圧着部と接続部との間に位置して両者を連結する首部とを備えている。この場合、端子金具は銅又は銅合金で構成され、芯線はアルミニウム又はアルミニウム合金で構成されている。
【先行技術文献】
【特許文献】
【０００３】
【特許文献１】特開２００９−２１８０７３
【発明の概要】
【発明が解決しようとする課題】
【０００４】
ところで、上記の場合、芯線と端子金具とが互いに異種金属であるため、両者間に電解質を介して電流が流れ、両金属が腐食するおそれがあった。これに対し、芯線と圧着部との接続部分に防食材を塗布することにより、両金属が腐食するのを防止することができた。しかし、防食材は、上記接続部分に導入された当初液状であるため、芯線の前端から首部を伝って接続部内に流入し、接続部内における相手端子との接続箇所に付着する可能性があった。その結果、接続部の相手端子への接続信頼性が損なわれるおそれがあった。
【０００５】
本発明は上記のような事情に基づいて完成されたものであって、相手端子との接続信頼性を向上させることを目的とする。
【課題を解決するための手段】
【０００６】
上記の目的を達成するための手段として、請求項１の発明は、相手端子に接続可能な筒状の接続部と、前記接続部の後方に位置し、電線の端末にて露出された芯線にかしめ接続される圧着部と、前記接続部と前記圧着部との間に位置して両者を連結する首部とを備え、前記芯線と前記圧着部との接続部分に液状の防食材が導入され、この防食材が固化することによって前記接続部分の防食を行う端子金具であって、前記首部における前記芯線の前端と前記接続部の後端との間には、複数の壁が形成され、前記複数の壁がそれぞれ前後で重なりつつ千鳥状に配置され、前記複数の壁間に、前記液状の防食材が前記接続部側へ蛇行して流れ得る迂回路が形成されているところに特徴を有する。
【０００７】
請求項２の発明は、請求項１に記載のものにおいて、前記首部が底板とその両側縁から立ち上げられた一対の側板とを有し、前記複数の壁が前記底板の一部を切り起こして形成されているところに特徴を有する。
【０００８】
請求項３の発明は、請求項２に記載のものにおいて、前記底板には前記壁の切り起こしに伴う孔が形成され、最後方に位置する前記壁の前方にこの壁に対応する前記孔が形成されているところに特徴を有する。
【０００９】
請求項４の発明は、請求項１ないし３のいずれか１項に記載のものにおいて、最後方に位置する前記壁が、前記芯線の直前位置に配置されているところに特徴を有する。
【発明の効果】
【００１０】
＜請求項１の発明＞
芯線と圧着部との接続部分に導入された防食材は首部の各壁間に形成された迂回路を流れる間に固化し得るため、防食材の接続部内への浸入が阻止される。その結果、接続部と相手端子との接続信頼性が向上する。
【００１１】
＜請求項２の発明＞
各壁が首部の底板の一部を切り起こして形成されているから、成形性に優れる。
【００１２】
＜請求項３の発明＞
最後方に位置する壁の前方にこの壁と対応する孔が形成されており、言い換えればこの壁と芯線の前端との間に孔が形成されていないため、防食材が孔から落ちて芯線の前端が被膜形成されない事態を回避できる。
【００１３】
＜請求項４の発明＞
芯線の直前位置に壁が形成されているから、芯線の前端位置を壁で規定することができる。
【図面の簡単な説明】
【００１４】
【図１】実施形態１の端子金具の要部断面図である。
【図２】端子金具の要部平面図である。
【発明を実施するための形態】
【００１５】
＜実施形態１＞
本発明の実施形態１を図１及び図２によって説明する。実施形態１の端子金具１０は、銅又は銅合金からなる導電性金属板を曲げ加工等して一体に成形され、接続部１１、圧着部２５、２６、及び首部１３を有している。接続部１１は相手端子（図示せず）と電気的に接続され、圧着部２５、２６は電線６０と電気的及び機械的に接続される。なお、以下の説明において前後方向については接続に際して相手端子が進入する側を前方とする。
【００１６】
圧着部２５、２６は、前側圧着部２５と、前側圧着部２５の後方に位置する後側圧着部２６とを有する。前側圧着部２５は、オープンバレル状の一対の前側バレル片２５Ａを有し、電線６０の端末にて露出された芯線６１に対し両前側バレル片２５Ａを両側から巻き付けるようにしてかしめ接続される。また、後側圧着部２６は、オープンバレル状の一対の後側バレル片２６Ａを有し、電線６０の端末における絶縁被覆６２に対し両後側バレル片２６Ａを両側から巻き付けるようにしてかしめ接続される。
【００１７】
芯線６１は複数本の素線を撚り合わせた形態とされ、絶縁被覆６２は芯線６１の外周を覆う形態とされている。この場合、芯線６１はアルミニウム又はアルミニウム合金からなる。
【００１８】
接続部１１は、角筒状の本体部１４と、本体部１４内に撓み可能に配置される弾性接触片１５とを有している。本体部１４は、底板１６と、底板１６の幅方向両側縁から立ち上げられた一対の側板１７と、一方の側板１７の立ち上げ端から他方の側板１７の立ち上げ端にかけて架け渡される天井板１８とを有している。底板１６は、端子金具１０の全長に亘って延びる帯板状をなし、圧着部２５、２６及び首部１３にも連続する形態とされている。また、両側板１７は、首部１３にも段付き状に連続する形態とされている。弾性接触片１５は、底板１６の前端から延びる舌片を本体部１４内へ折り返すことで略山型をなしている。そして、天井板１８には、弾性接触片１５の頂部と対向する位置に受け部（図示せず）が本体部１４内に叩き出して形成されている。
【００１９】
ここで、本体部１４内には相手端子のタブ（図示せず）が前方から挿入される。本体部１４内に正規挿入されたタブは、弾性接触片１５と受け部との間に弾性的に挟持され、もって端子金具１０と導通接続される。
【００２０】
首部１３は、本体部１４と圧着部２５、２６との間に位置し、両者を連結する形態とされている。そして、首部１３は、底板１６とその幅方向両側縁から立ち上げられた一対の側板１７とを有している。両側板１７は、その前端で本体部１４の両側板１７と一体に連なり、その後端で両前側バレル片２５Ａと一体に連なる形態とされている。
【００２１】
さて、首部１３の底板１６には、前後方向に間隔をあけて複数の壁２１、２２が起立して形成されている。各壁２１、２２は、平面視千鳥に配置され、幅方向に沿って配置される矩形板状の第１壁２１と、第１壁２１の後方にあって第１壁２１と略平行に配置される矩形板状の第２壁２２とを有している。第１壁２１及び第２壁２２の両上端は両側板１７の上端よりも低位に配置されており、これによって第１壁２１及び第２壁２２と接続部１１の後端に係合するリテーナ（図示せず）との干渉が回避されている。
【００２２】
第１壁２１の幅方向一端は一方の側板１７の内面に当接可能に配置され、第２壁２２の幅方向他端は他方の側板１７の内面に当接可能に配置されている。また、第１壁２１の幅方向他端は底板１６の幅方向中央よりも他側に配置され、第２壁２２の幅方向一端は底板１６の幅方向中央よりも一側に配置されている。したがって、第１壁２１及び第２壁２２は前後方向で互いに重なり合う位置関係にある。第１壁２１は、接続部１１の後端よりも少し後方に配置されている。第２壁２２は、前側圧着部２５の前端よりも少し前方にあって、前側圧着部２５にかしめられた芯線６１の前端に近接して配置されている。そして、両側板１７の内側で、かつ第１壁２１と第２壁２２との間には、接続部１１から前側圧着部２５にかけてクランク状に蛇行する迂回路２３が形成されている。
【００２３】
また、首部１３の底板１６には門型の切り込みが入れられており、この切り込みの内側の片を上方へ起こすことによって第１壁２１及び第２壁２２が形成されている。底板１６には、第１壁２１及び第２壁２２の切り起こしに伴って、第１壁２１及び第２壁２２の各前方に略矩形の孔２４が形成される。
【００２４】
次に、本実施形態の端子金具１０の作用効果を説明する。
本実施形態においては、前側圧着部２５の芯線６１へのかしめ後、前側圧着部２５と芯線６１との接続部分に対して防食材が供給される。この防食材は、主として芯線６１と前側圧着部２５との間に電解質を介して電位差が生じることに起因する電食を防止するためのものである。この防食材は、所定の温度以上のときには液状とされ、所定の温度未満のときには固化する熱可塑性の樹脂材からなる。防食材の固化に伴い、芯線６１の前端部（前側圧着部２５よりも前方に突出する部分）等には被膜２９が形成される。
【００２５】
ところで、上記接続部分への導入直後の防食材は液状とされている。このため、防食材が首部１３を伝って接続部１１内に浸入して弾性接触片１５に付着するおそれがある。しかるに本実施形態においては、首部１３に第１壁２１及び第２壁２２が形成され、両壁２１、２２間に迂回路２３が形成されているから、防食材が迂回路２３を縫って接続部１１へ至るまでの間に冷却固化されることとなる。よって、防食材が接続部１１内に浸入するのが防止される。
【００２６】
また、芯線６１の直前位置に配置される第２壁２２によって、防食材の接続部１１への流出が一時的に規制され、第２壁２２と芯線６１の前端との間に防食材が塞き止められる。この場合、第２壁２２の形成に伴う孔２４がこの第２壁２２の後方に形成され、第２壁２２と芯線６１の前端との間には孔が形成されていないから、第２壁２２と芯線６１の前端との間に存する防食材が孔を通して底板１６下方へ流出するのが防止され、上記塞き止め効果が担保される。その結果、芯線６１の前端部に所定の厚みをもった被膜２９を確実に形成させることができる。さらに、第２壁２２を、芯線６１の前側圧着部２５への導入時に芯線６１の前端位置を規定するストッパとして機能させることができる。
【００２７】
＜他の実施形態＞
本発明は上記記述及び図面によって説明した実施形態に限定されるものではなく、例えば次のような実施形態も本発明の技術的範囲に含まれる。
（１）各壁が首部に３つ以上形成されていてもよい。
（２）各壁が首部の側板の一部を切り起こして形成されていてもよい。
（３）各壁が首部に溶接等して一体に形成されていてもよい。
【符号の説明】
【００２８】
１０…端子金具
１１…接続部
１３…首部
１６…底板
１７…側板
２１…第１壁（壁）
２２…第２壁（壁）
２３…迂回路
２４…孔
２５…前側圧着部（圧着部）
２６…後側圧着部（圧着部）
６０…電線
６１…芯線
【図１】
2011103220.tif 000003
【図２】
2011103220.tif 000004